(57)【要約】      （修正有）【課題】現在、用水路、排水路、小規模河川等の水路の多くは、浄化する機能は全く付属せず、放置された状態にある。そのため水路中には、塵芥、土砂が散在し、有害物質等に汚濁されている。これら水路中の塵芥、土砂を捕捉、収集し、汚濁水を除去、浄化する簡便な流入水の塵芥収集・水質浄化用具を提案する。【解決手段】既存の用水路、排水路、小規模河川等の水路に、水路断面と類似形状の断面を有する籠状の塵芥収集網（Ｂ１又はＢ２）を設置する。その内部には交換可能な繊維状の透水性の高い水浄化フィルターＣを挿入する。流水中の塵芥収集網（Ｂ１又はＢ２）の上流側に塵芥、土砂を捕捉、収集し、内部の水浄化フィルターＣにより、流入水の汚濁を除去、浄化する。【選択図】図２
0003203845.tif 000002
【実用新案登録請求の範囲】
【請求項１】
用水路、排水路、小規模河川等の水路に、水路断面と類似形状の断面を持つ籠状の塵芥収集網を設置し、その内部に同形状の交換可能な水浄化フィルターを挿入する事を特徴とする塵芥収集・水質浄化用具。
【請求項２】
籠状の塵芥収集網は正面、背面、側面、底面が金属性素材の網状又は格子状で、その内部に同形状の繊維性素材の透水性の高い水質浄化能力を有する水浄化フィルターを挿入した請求項１記載の塵芥収集・水質浄化用具。
【考案の詳細な説明】
【技術分野】
【０００１】  本考案は、水路中の塵芥、土砂、汚濁水を捕捉、収集、除去、浄化する用具及び水質浄化方法に関する。
【背景技術】
【０００２】  既存の用水路、排水路、小規模河川等の水路の多くは、塵芥、土砂、汚濁水の浄化装置が設置されていない。水浄化フィルターに関しては多種存在するが、具体的に水路への活用はなされていない。水路に対する水質浄化方法は多数存在するが、高価で複雑な構造の装置や設備であって、現実的に利用できないのが現状である。次に水浄化フィルター及び水質浄化方法の先行技術文献を数例列挙する。
【先行技術文献】
【特許文献】
【０００３】
【特許文献１】特開２０００−２３３１９４号
【特許文献２】特開２００４−０５７８９３号
【特許文献３】特開２０１０−０７５０７７号
【特許文献４】特開２０１３−２３４９４８号
【考案の概要】
【考案が解決しようとする課題】
【０００４】  既存の用水路、排水路、小規模河川等の水路の多くは、塵芥、土砂、汚濁水を捕捉、収集、除去、浄化する装置が設置されていない。従来の水質浄化方法は数多くあるが、高価で複雑な構造の機械装置や設備であって、現実的に利用できないのが現状である。そのため塵芥、土砂が至る所に散在して見られ、放置され、景観が悪いばかりでなく、流水は地表の雨水、生活排水などで汚濁されており、川、海、大気を循環している水資源汚染、環境汚染への影響は計り知れないものがある。また、住民の自助努力により、時々、水路の清掃は行われているものの、散在した塵芥や土砂の清掃は困難で、管理上問題となっている。こうした問題を解決するために、水路に対する簡便な塵芥収集、水質浄化機能を持つ単純な用具が必要と考えた。
【課題を解決するための手段】
【０００５】  本考案は塵芥収集網と水浄化フィルターからなる単純な塵芥収集・水質浄化用具であり、水路に簡易に施工できる水質浄化方法である。既存の用水路、排水路、小規模河川等の水路に対し、水路断面と類似形状の断面を持つ籠状の塵芥収集網を設置し、流入水中の塵芥、土砂を捕捉、収集する。設置の仕方には、嵌め込み式と上部固定吊り下げ式の２方式がある。また、塵芥収集網の内部には交換可能な類似形状の透水性の高い水浄化フィルターが挿入してあり、流入する汚濁水をろ過し、汚濁物質を除去、浄化する。その結果、本考案により、水路中の散在した塵芥、土砂は収集され、汚濁水の水質浄化が行われ、水路の問題を解決する一助となる。
【考案の効果】
【０００６】  現在、用水路、排水路、小規模河川等の水路の多くは、塵芥、土砂、汚濁水が放置された状態にある。今回の塵芥収集・水質浄化用具は、単純な構造の塵芥収集網と水浄化フィルターからなる用具を水路に設置し、水路の維持管理を簡便にするものである。汚染が進んでいる水環境への害を減らし、川、海、大気と循環する水環境の保護に貢献すると思われる。汚濁水をろ過する水浄化フィルターの素材は技術進歩するものであり、フィルターの素材を更新することにより、安価で効率の良い水質浄化が期待できる。
【図面の簡単な説明】
【０００７】
【図１】本考案を設置する水路、断面形状が長方形の例である。
【図２】水路断面が長方形の場合の塵芥収集網２種類と水浄化フィルターを呈示する。
【符号の説明】Ａ．  水路
Ｂ１．嵌め込み式塵芥収集網    Ｂ２．上部固定吊り下げ式塵芥収集網
Ｃ．  水浄化フィルター
１．  溝
２．  水流と水流方向
３．  板状の固定具
【考案を実施するための形態】
Ｕ字もしくは凹字の水路の断面に沿って浅い溝を作り、水路断面と類似形状の断面を持つ籠状の嵌め込み式塵芥収集網を設置する。又は、水路側面上部に固定可能な場所があれば、溝は作らず、上部固定吊り下げ式塵芥収集網を直に設置する。まず、流入水中の塵芥、土砂を塵芥収集網の上流側に捕捉、収集が可能となる。更に、塵芥収集網の内部に挿入した水浄化フィルターにより、流入水をろ過し、汚濁物質を除去、浄化し、清浄な水を流出させる事が可能となる。適時、塵芥収集網で収集した塵芥、土砂を清掃し、水浄化フィルターを交換する事により、水路の維持管理が簡便になり、水質浄化が達成される。
【実施例】
【０００８】  以下、添付図面、図１、図２に基づいて、水路断面が長方形の場合の実施の形態を説明する。図１の長方形の断面を持つ水路Ａの断面に沿って、図２の塵芥収集網Ｂ１側面部に適合する浅い溝１を作り、水路Ａ断面と類似形状の断面を持つ図２の嵌め込み式塵芥収集網Ｂ１を設置する。又は、図１の水路Ａ側面上部に固定可能な場所があれば、溝１は作らず、水路Ａ断面と同形状の断面を持つ図２の上部固定吊り下げ式塵芥収集網Ｂ２を直に設置する。２は流水と流水方向を表す。まず、流入水中の塵芥、土砂を図２の塵芥収集網（Ｂ１又はＢ２）の上流側に捕捉、収集が可能となる。更に、塵芥収集網（Ｂ１又はＢ２）の内部に挿入した図２の水浄化フィルターＣにより、流入水をろ過し、汚濁物質を除去、浄化し、可能な限り清浄な水を流出させる。【０００９】  図２の塵芥収集網（Ｂ１又はＢ２）の正面、背面部は網状又は格子状で、側面・底面部は格子状の形状が適当であるが、設置する状況により適宜調整する。図２の嵌め込み式塵芥収集網Ｂ１を使用する場合は、予め、図１の水路Ａ断面方向の側面（又は、側面と底面）に塵芥収集網Ｂ１側面部に適合する浅い溝１を作り、本体を嵌め込み設置する。図２の上部固定吊り下げ式塵芥収集網Ｂ２は、板状の固定具３を付属する。両上部の板状の固定具３によって、図１の水路Ａ側面上部の固定可能な場所に固定し、本体を吊り下げ設置する。本体の固定が不安定な場合、底部の板状の固定具３を取付け、水路Ａ底面に接地させる。【００１０】  図２の塵芥収集網（Ｂ１又はＢ２）は、金属性又は類似の硬性素材で、流水圧に抵抗可能な重量とし、外枠や網の形状や太さ等は設置する状況に合わせ適宜調整する。塵芥収集網（Ｂ１又はＢ２）の内部に挿入する図２の水浄化フィルターＣは、繊維状で透水性の高い水質浄化能力を有する素材で、既存の任意の製品を使用する。流水圧や流水量を考慮し、塵芥収集網と水浄化フィルターの形状や厚さ等を設置する状況に合わせ適宜調整する。また、水路を適時管理する事が困難な場合には、水浄化フィルターを使用せず、塵芥収集網のみで使用し、上流側、背面の格子を減数するなど調整すると塵芥収集網内部への塵芥の捕捉、収集が可能になる。
【符号の説明】
【００１１】Ａ．  水路
Ｂ１．嵌め込み式塵芥収集網    Ｂ２．上部固定吊り下げ式塵芥収集網
Ｃ．  水浄化フィルター
１．  溝
２．  水流と水流方向
３．  板状の固定具
【図１】
0003203845.tif 000003
【図２】
0003203845.tif 000004